(57)【要約】      （修正有）【課題】商品を手前側に安定した姿勢で円滑に移動させることができる商品陳列棚を提供する。【解決手段】商品陳列棚１０は、手前側から奥側に向けて複数の商品を並べて陳列する棚であって、手前側が低くなるように傾斜した棚板１１を備えている。棚板１１の上面には、一定の突出高さを有する複数の突条１２が、奥側から手前側に向かって直線状に延びるとともに幅方向Ｗに並んで設けられている。棚板１１の上面には、スリップ剤が添加されたニスが設けられている。【選択図】図１
0003223064.tif 000002
【実用新案登録請求の範囲】
【請求項１】
手前側から奥側に向けて複数の商品を並べて陳列する棚であって、
手前側が低くなるように傾斜した棚板を備え、
前記棚板の上面には、一定の突出高さを有する複数の突条が、前記奥側から手前側に向かって直線状に延びるとともに幅方向に並んで設けられている、
商品陳列棚。
【請求項２】
前記棚板の上面には、スリップ剤が添加されたニスが設けられている、
請求項１に記載の商品陳列棚。
【請求項３】
前記突条は、断面先細状である、
請求項１または請求項２に記載の商品陳列棚。
【請求項４】
前記棚板は紙材からなり、
複数の前記突条は前記紙材をプレスして形成されている、
請求項１〜請求項３のいずれか一項に記載の商品陳列棚。
【請求項５】
複数の前記突条が一体成形されたシートを備え、
前記シートが前記棚板の上面に貼り付けられている、
請求項１〜請求項３のいずれか一項に記載の商品陳列棚。
【考案の詳細な説明】
【技術分野】
【０００１】
本考案は、商品陳列棚に関する。
【背景技術】
【０００２】
特許文献１には、前面に開口する本体内に陳列室を構成し、この陳列室内に商品陳列用の棚を架設してなるショーケースが開示されている。このショーケースでは、棚の載置面前部は水平面とされ、後部は奥方に高い傾斜面とされている。水平面は略商品一つ分の奥行きとされている。棚の載置面には、手前側から奥側に向けて、ペットボトル入りや缶入りの飲料などの複数本の商品が並べて陳列される。こうした商品陳列棚によれば、最も手前側に載置されている商品が取り出されると、当該商品の奥側に載置されている商品が自重により手前側に滑って移動する。
【先行技術文献】
【特許文献】
【０００３】
【特許文献１】特開２００４−１０５５２６号公報
【考案の概要】
【考案が解決しようとする課題】
【０００４】
ところで、特許文献１に記載の商品陳列棚では、以下の不都合が生じるおそれがある。すなわち、例えば包装された三角形状のおにぎりのような商品の場合、商品の下面と載置面との間に大きな摩擦抵抗が作用するために、商品を手前側に円滑に移動させることが難しい。また、商品が手前側に滑って移動する際に当該商品の姿勢が安定せず傾きやすいため、店員が商品を並べ直す手間が発生する。
【０００５】
本考案の目的は、商品を手前側に安定した姿勢で円滑に移動させることのできる商品陳列棚を提供することにある。
【課題を解決するための手段】
【０００６】
上記目的を達成するための商品陳列棚は、手前側から奥側に向けて複数の商品を並べて陳列する棚であって、手前側が低くなるように傾斜した棚板を備え、前記棚板の上面には、一定の突出高さを有する複数の突条が、前記奥側から手前側に向かって直線状に延びるとともに幅方向に並んで設けられている。
【０００７】
同構成によれば、棚板は、手前側が低くなるように傾斜している。また、棚板の上面に設けられた複数の突条によって、商品の下面と、当該商品が載置される載置面との接触面積が小さくなる。これらのことから、最も手前側に載置されている商品が取り出されることで空きスペースが生じると、当該商品の奥側に載置されている商品が自重により手前側に向かって円滑に滑って移動するようになる。特に、複数の突条が奥側から手前側に向かって直線状に延びているため、各突条に沿って商品が案内されるようになる。これにより、商品が移動する際の姿勢を安定させることができる。したがって、商品を手前側に安定した姿勢で円滑に移動させることができる。
【０００８】
上記商品陳列棚において、前記棚板の上面には、スリップ剤が添加されたニスが設けられていることが好ましい。
同構成によれば、ニスによって棚板の上面を保護するとともに、スリップ剤によって、商品の下面と、当該商品が載置される載置面との間に作用する摩擦力を低減することができる。これにより、手前側に向けて商品を一層円滑に移動させることができる。
【０００９】
上記商品陳列棚において、前記突条は、断面先細状であることが好ましい。
同構成によれば、突条が断面先細状であるため、突条の剛性を高めつつ、商品の下面と突条との接触面積を更に小さくできる。したがって、突条の耐久性を高めることができるとともに、手前側に向けて商品を一層円滑に移動させることができる。
【００１０】
上記商品陳列棚において、前記棚板は紙材からなり、複数の前記突条は前記紙材をプレスして形成されていることが好ましい。
同構成によれば、棚板を簡易且つ軽量にて具現化することができる。また、紙材をプレスすることによって棚板の上面に複数の突条を容易に形成することができる。
【００１１】
上記商品陳列棚において、複数の前記突条が一体成形されたシートを備え、前記シートが前記棚板の上面に貼り付けられていることが好ましい。
同構成によれば、複数の突条が一体成形されたシートを棚板の上面に貼り付けることによって、棚板の上面に複数の突条を容易に設けることができる。また、陳列する商品の大きさや重量等に応じてシートの大きさや貼り付け位置を変更することによって、手前側への商品の移動速度や商品の姿勢の安定化度合などを容易に調整することができる。
【考案の効果】
【００１２】
本考案によれば、商品を手前側に安定した姿勢で円滑に移動させることができる。
【図面の簡単な説明】
【００１３】
【図１】商品陳列棚の一実施形態を示す斜視図。
【図２】同実施形態の商品陳列棚を示す断面図。
【図３】同実施形態の作用を説明する側面図。
【図４】変形例の商品陳列棚を示す斜視図。
【図５】同変形例の商品陳列棚を示す断面図。
【図６】他の変形例の商品陳列棚を示す断面図。
【図７】他の変形例の商品陳列棚を示す断面図。
【図８】他の変形例の商品陳列棚を示す斜視図。
【考案を実施するための形態】
【００１４】
以下、図１〜図３を参照して、一実施形態について説明する。
図１〜図３に示すように、商品陳列棚１０は、手前側から奥側に向けて複数個の商品Ｘを並べて陳列するものである。本実施形態の商品Ｘは、例えば包装された三角形状のおにぎりである。
【００１５】
商品陳列棚１０は、手前側が低くなるように所定の角度にて傾斜した平面視長方形状の棚板１１と、棚板１１の手前側の端に設けられる前壁１３、棚板１１の奥側の端に設けられる後壁１４、及び棚板１１の幅方向Ｗの両端に設けられる一対の横壁１５を備えている。なお、本実施形態では、棚板１１、前壁１３、後壁１４、及び各横壁１５がボール紙などの紙材によって形成されている。
【００１６】
前壁１３、後壁１４、及び各横壁１５は、いずれも棚板１１よりも上方に突出しており、棚板１１上に載置される商品Ｘの脱落を阻止する。
棚板１１の上面には、複数（本実施形態では４つ）の突条１２が一体成形されている。各突条１２は、一定の突出高さを有しており、棚板１１の奥側から手前側に向かって直線状に延びるとともに棚板１１の幅方向Ｗに並んで設けられている。本実施形態では、紙材をプレスすることによって複数の突条１２を有する棚板１１を一体成形している。また、各突条１２が幅方向Ｗにおいて等間隔にて設けられている。
【００１７】
突条１２は、断面先細状であることが好ましい。本実施形態の突条１２は、断面半円形状である。なお、図１〜図３においては、各突条１２を実際よりも大きく誇張して示している。
【００１８】
棚板１１の上面には、スリップ剤が添加されたニス（いずれも図示略）が設けられている。スリップ剤としては、例えばシリコンアクリレートなどのスリップ性に優れた合成樹脂材料が好ましい。
【００１９】
次に、本実施形態の作用について説明する。
棚板１１は、手前側が低くなるように傾斜している。また、棚板１１の上面に設けられた複数の突条１２によって、商品Ｘの下面と、当該商品Ｘが載置される載置面との接触面積が小さくなる。
【００２０】
これらのことから、図３に示すように、最も手前側に載置されている商品Ｘ１が取り出されることで空きスペースが生じると、当該商品Ｘ１の奥側に載置されている商品Ｘ２，Ｘ３，Ｘ４が自重により手前側に向かって円滑に滑って移動するようになる。
【００２１】
特に、複数の突条１２が奥側から手前側に向かって直線状に延びているため、各突条１２に沿って商品Ｘが案内されるようになる。これにより、商品Ｘが移動する際の姿勢を安定させることができる。
【００２２】
次に、本実施形態の効果について説明する。
（１）上記作用を奏することから、商品Ｘを手前側に安定した姿勢で円滑に移動させることができる。
【００２３】
また、突条１２が設けられていない構成に比べて商品Ｘを移動させるために必要な棚板１１の傾斜角度を小さくできる。このため、複数の棚板１１が上下に間隔をおいて設けられる商品陳列棚にあっては、棚板１１同士の間隔を小さくでき、商品陳列棚全体の高さを抑えることができる。
【００２４】
（２）棚板１１の上面には、スリップ剤が添加されたニスが設けられている。このため、ニスによって棚板１１の上面を保護するとともに、スリップ剤によって、商品Ｘの下面と、当該商品Ｘが載置される載置面との間に作用する摩擦力を低減することができる。これにより、手前側に向けて商品を一層円滑に移動させることができる。
【００２５】
（３）突条１２が断面先細状であるため、突条１２の剛性を高めつつ、商品Ｘの下面と突条１２との接触面積を更に小さくできる。したがって、突条１２の耐久性を高めることができるとともに、手前側に向けて商品Ｘを一層円滑に移動させることができる。
【００２６】
（４）棚板１１は紙材からなり、複数の突条１２は紙材をプレスして形成されている。このため、棚板１１を簡易且つ軽量にて具現化することができる。また、紙材をプレスすることによって棚板１１の上面に複数の突条１２を容易に形成することができる。
【００２７】
＜変更例＞
上記実施形態は、例えば以下のように変更して実施することもできる。本実施形態及び以下の変更例は、技術的に矛盾しない範囲で互いに組み合わせて実施することができる。
【００２８】
・図４及び図５に示すように、複数の突条２２が一体成形されたシート２０を、棚板１１の上面に貼り付けるようにしてもよい。シート２０は、帯状であり、手前側から奥側に向かって直線状に延びている。シート２０の上面には、複数の突条２２が一体成形されている。シート２０は、ポリエチレンなどの樹脂製であり、棚板１１に対向する面には、粘着剤が塗布されている。
【００２９】
複数の突条２２は、一定の突出高さを有しており、奥側から手前側に向かって直線状に延びるとともに幅方向Ｗに並んで設けられている。突条２２は、断面先細状であることが好ましい。この変形例の突条２２は、断面半円形状である。この変形例では、一対のシート２０が棚板１１の幅方向Ｗの中央を挟んで設けられている。
【００３０】
こうした構成によれば、複数の突条２２が一体成形されたシート２０を棚板１１の上面に貼り付けることによって、棚板１１の上面に複数の突条２２を容易に設けることができる。また、陳列する商品の大きさや重量等に応じてシート２０の大きさや貼り付け位置を変更することによって、手前側への商品の移動速度や商品の姿勢の安定化度合などを容易に調整することができる。
【００３１】
・図４及び図５に示す変形例のシート２０の上面に、スリップ剤が添加されたニスを塗布するようにしてもよい。
・図６に示すように、１つのシート２０を棚板１１の幅方向Ｗの中央部に設けるようにしてもよい。
【００３２】
・複数の突条を棚板１１の上面に対して印刷にて形成することもできる。この場合、印刷によって突条を容易に形成することができる。
・商品陳列棚１０を構成する棚板１１及び横壁１５等を硬質樹脂材料によって一体成形することもできる。この場合、図７に示すように、複数の突条１２を棚板１１と一体成形すれば、上記実施形態と同様、商品陳列棚１０の部品点数を減らすことができる。
【００３３】
また、例えば硬質樹脂材料や木材などによって形成された棚板１１の上面全体に、突条１２を有する別体のシートを貼り付けるようにしてもよい。この場合、シートの上面にスリップ剤が添加されたニスを塗布してもよい。
【００３４】
・図８に示すように、棚板１１に冷気を流通させるための孔１６を設けてもよい。同図に示すように、こうした孔１６は、棚板１１の幅方向の両端部において奥側から手前側に向かって互いに間隔をおいて複数設けるようにしてもよい。また、こうした孔１６を幅方向の中央部に設けるようにしてもよい。更に、こうした孔１６の形状は円形に限定されず、四角形や三角形など任意の形状の孔を採用することができる。
【００３５】
・突条１２の断面形状を例えば三角形や長方形など適宜変更することができる。
・本考案に係る商品陳列棚により陳列される商品Ｘは、前述した三角形状のおにぎりに限定されるものではなく、容器入りの弁当や総菜、お菓子などでもよいし、生活雑貨などでもよい。
【符号の説明】
【００３６】
１０…商品陳列棚、１１…棚板、１２…突条、１３…前壁、１４…後壁、１５…横壁、１６…孔、２０…シート、２２…突条、Ｘ…商品。
【図１】
0003223064.tif 000003
【図２】
0003223064.tif 000004
【図３】
0003223064.tif 000005
【図４】
0003223064.tif 000006
【図５】
0003223064.tif 000007
【図６】
0003223064.tif 000008
【図７】
0003223064.tif 000009
【図８】
0003223064.tif 000010